(57)【要約】【課題】  出金処理における利便性の向上を図った金融サービス方法および金融サービスシステムを提供する。【解決手段】  金融機関が顧客と交わした条件に基づいて、顧客に金融サービスを提供する金融サービスシステム１において、条件として、金融サービスの内容および顧客の口座残高における閾値を金融サービス開始閾値として設定する条件設定部２０２と、口座残高の変化を検出すると、残高変化通知を行う残高変化検出部１０１２と、残高変化通知を受けると、当該口座の残高と金融サービス開始閾値と比較し、口座残高が金融サービス開始閾値を超えて変化したとき、金融サービスの開始を指示する金融サービス開始判定部２０４と、金融サービス開始指示を受けると、顧客の口座から出金する処理を金融サービスとして提供する金融サービス提供部１０２と、を備える。【選択図】        図２
2007034541.tif 000002
【特許請求の範囲】
【請求項１】
金融機関が顧客と交わした条件に基づいて、前記顧客に金融サービスを提供する金融サービス方法において、
前記条件として、前記金融サービスの内容および前記顧客の口座残高における閾値を金融サービス開始閾値として設定すること、
前記口座残高が前記金融サービス開始閾値を超えて変化したか否か判定すること、
前記金融サービス開始閾値を超えて変化したとき、前記顧客の口座から出金する処理を金融サービスとして開始することを特徴とする金融サービス方法。
【請求項２】
前記出金処理は、少なくとも、振込処理、振替処理および定期預金処理の何れか一つを示すことを特徴とする請求項１に記載の金融サービス方法。
【請求項３】
金融機関が顧客と交わした条件に基づいて、前記顧客に金融サービスを提供する金融サービスシステムにおいて、
前記条件として、前記金融サービスの内容および前記顧客の口座残高における閾値を金融サービス開始閾値として設定する条件設定部と、
前記口座残高の変化を検出すると、残高変化通知を行う残高変化検出部と、
残高変化通知を受けると、当該口座の残高と前記金融サービス開始閾値と比較し、口座残高が前記金融サービス開始閾値を超えて変化したとき、前記金融サービスの開始を指示する金融サービス開始判定部と、
金融サービス開始指示を受けると、前記顧客の口座から出金する処理を前記金融サービスとして提供する金融サービス提供部と、を備えることを特徴とする金融サービスシステム。
【発明の詳細な説明】
【技術分野】
【０００１】
本発明は、金融サービス方法および金融サービスシステムに関するものである。
【背景技術】
【０００２】
金融機関は、金融サービスとして、例えば特許文献１に示されているように口座残高を通知する通知処理、顧客の口座へ入金が行なわれる入金処理および顧客の口座から出金が行なわれる出金処理を提供している。
出金処理には、例えば顧客による口座からの現金の引き出し、顧客の口座から他の口座への振込み、他の口座への振替および顧客の口座からの自動引落としなどがあり、自動引落とし以外の出金処理は、顧客が自身の口座残高を確認して、残高不足にならないことを把握した後に行なわれる。
【特許文献１】特開２００３−１６２６３２号公報
【発明の開示】
【発明が解決しようとする課題】
【０００３】
ところで顧客には、口座残高を確認しない人や口座残高を確認できない人がいる。具体的には、自身の口座残高の管理を怠っている怠慢な顧客や、口座残高を把握できないほど多忙な顧客がおり、このような顧客は、口座残高を管理できないことから、金融機関の提供する自動引落とし以外の出金処理を利用することができなかった。
【０００４】
従って、金融機関から提供される自動引落とし以外の出金処理では、顧客が口座残高を確認し、残高不足にならないことを把握する必要があることから、出金処理の利便性が悪く、これが問題となっていた。
【０００５】
従って、本発明の目的は、出金処理における利便性の向上を図った金融サービス方法および金融サービスシステムを提供することである。
【課題を解決するための手段】
【０００６】
本発明は、以上の点を解決するために、次の構成を採用する。
〈構成１〉
金融機関が顧客と交わした条件に基づいて、顧客に金融サービスを提供する金融サービス方法において、条件として、金融サービスの内容および顧客の口座残高における閾値を金融サービス開始閾値として設定すること、口座残高が金融サービス開始閾値を超えて変化したか否か判定すること、金融サービス開始閾値を超えて変化したとき、顧客の口座から出金する処理を金融サービスとして開始することを特徴とする。
【０００７】
〈構成２〉
金融機関が顧客と交わした条件に基づいて、顧客に金融サービスを提供する金融サービスシステムにおいて、条件として、金融サービスの内容および顧客の口座残高における閾値を金融サービス開始閾値として設定する条件設定部と、口座残高の変化を検出すると、残高変化通知を行う残高変化検出部と、残高変化通知を受けると、当該口座の残高と金融サービス開始閾値と比較し、口座残高が金融サービス開始閾値を超えて変化したとき、金融サービスの開始を指示する金融サービス開始判定部と、金融サービス開始指示を受けると、顧客の口座から出金する処理を金融サービスとして提供する金融サービス提供部と、を備えることを特徴とする。
【発明の効果】
【０００８】
本発明によれば、金融機関が顧客と交わす条件として、金融サービスの内容および金融サービス開始閾値が設定されることにより、顧客の口座残高が金融サービス開始閾値を超えて変化したとき、金融サービスとして顧客の口座から出金する処理を開始する。これにより、顧客が出金処理の利用に先立って口座残高の確認を行う必要がなく、かつ口座残高の不足を招くおそれもなく金融機関から提供される出金処理が行なわれることから、出金処理における利便性を向上することができる。
【発明を実施するための最良の形態】
【０００９】
本発明の実施形態について、図を用いて詳細に説明する。
【実施例１】
【００１０】
以下、本発明の実施形態について図を用いて詳細に説明する。
実施例１の金融サービスシステム１は、図１に示すように、ホスト１０と営業店３０とがネットワーク２０を介して接続されている。
ホスト１０は、金融サービスとして顧客の口座へ入金が行なわれる入金処理および顧客の口座から出金が行なわれる出金処理を提供すべく、必要な処理を行うホスト装置１００と、金融機関が顧客と交わした条件に基づいて顧客の口座から出金が行なわれる出金処理を提供するための出金処理サーバ２００とを備える。
【００１１】
ホスト装置１００は、ローカル・エリア・ネットワーク（以後、ＬＡＮと略称する）１９に接続しており、該ＬＡＮ１９に出金処理サーバ２００が接続している。これによりＬＡＮ１９を介してホスト装置１００および出金処理サーバ２００間で通信することができる。
【００１２】
また、ＬＡＮ１９はネットワーク２０に接続しており、これらのＬＡＮ１９およびネットワーク２０を介してホスト１０は営業店３０と通信することができる。
【００１３】
営業店３０は、顧客から金融サービス提供の要求を受けるためのＡＴＭ３１を備えており、該ＡＴＭ３１はネットワーク２０に接続しており、該ネットワーク２０を介してホスト１０と通信可能に接続されている。
【００１４】
ところでＡＴＭ３１は、例えば顧客から現金の預け入れ依頼や、現金の引出依頼、振込み依頼などを受けると、依頼された内容をホスト装置１００に通知して、該ホスト装置１００で入金処理または出金処理を行った結果を取得して入金または出金を行う。具体的には、例えば顧客から現金の引出依頼を受けたとき、ＡＴＭ３１は、引出依頼内容を示す引出し情報をホスト装置１００に通知し、該引出し情報に基づいて出金処理を行ったホスト装置１００から出金処理結果を受けると、該出金処理結果に基づいて顧客に現金の引出しを行う。
【００１５】
ホスト装置１００は、図２に示すように、顧客に関する顧客情報を保持する情報管理部１０１と、情報管理部１０１で保持する顧客情報に基づいて、入金処理および出金処理などの金融サービスを行うための金融サービス提供部１０２とを備える。
【００１６】
ところで、ホスト装置１００は、ＡＴＭ３１からの出金要求に応じて出金処理を行う以外に、出金処理サーバ２００から指示に基づいて出金処理も行っており、該出金処理サーバ２００で出金実行の指示判定を行わせるべく、情報管理部１０１で口座残高の変化を出金処理サーバ２００に通知する。
【００１７】
ここで、情報管理部１０１を詳細に説明する。
情報管理部１０１は、口座番号、口座名義人、口座残高および本人認証のための認証用暗証番号などの顧客情報を保持する顧客情報保持部１０１１と、口座残高の変化を検出し残高変化を出金処理サーバ２００に通知する残高変化検出通知部１０１２とを備える。
【００１８】
残高変化検出通知部１０１２は、顧客情報保持部１０１１を常時監視しており、具体的には口座残高の更新書き込みを監視しており、口座残高の更新書き込みを検出すると当該口座残高が変化したと判断して、当該口座番号及び残高を口座情報として出金処理サーバ２００に通知する。
【００１９】
金融サービス提供部１０２は、顧客の口座へ入金が行なわれる入金処理を行うための入金処理部１０２１と、顧客の口座から出金が行なわれる出金処理を行うための出金処理部１０２２とを備える。
【００２０】
ところで、入金処理部１０２１が行う入金処理は、顧客から営業店３０（ＡＴＭ３１）で現金の預け入れ依頼があると、営業店３０からホスト装置１００へ通知される依頼内容を示す預け入れ情報に基づいて行なわれる。尚、預け入れ情報には、口座番号および預け入れ金額が示されている。
【００２１】
具体的には、入金処理部１０２１は、入金処理として、預け入れ情報に示された口座番号に基づいて、当該口座番号の口座残高を顧客情報保持部１０１１において特定すると、特定した口座残高に、預け入れ情報に示された預け入れ金額を加算して口座残高の更新書き込みを行う。
【００２２】
ところで、顧客から出金依頼を受けた営業店３０から、出金内容を示す出金情報がホスト１０に通知される。営業店３０が通知する出金情報には、少なくとも口座番号、出金額および暗証番号が示されている。
【００２３】
出金情報を受けたホスト１０は、ホスト装置１００の出金処理部１０２２で出金内容を示す出金情報に基づいて、顧客の口座から出金を行うための出金処理を行う。尚、出金処理として、例えば現金引出し処理、自動引落とし処理、振込処理、振替処理および定期積立処理が行なわれる。前記した各種の出金を行うために出金処理部１０２２は、現金引出し処理部１０２３、自動引落とし処理部１０２４、振込処理部１０２５、振替処理部１０２６および定期積立処理部１０２７を備える。
【００２４】
現金引出し処理部１０２３は、現金引出し処理として、ＡＴＭ３１からの出金情報を受けると、該出金情報に基づいて顧客情報保持部１０１１における当該口座番号の口座残高および認証用暗証番号を特定する。現金引出し処理部１０２３は、特定した認証用暗証番号と出金情報に示された暗証番号とを照合することにより本人認証処理を行う。現金引出し処理部１０２３は、照合の一致により本人であることを確認すると、出金情報に示された出金額を当該口座番号の口座残高から減算し口座残高の更新書き込みを行う。
【００２５】
更新書き込みを行った後、現金引出し処理部１０２３は、ＡＴＭ３１に対し、現金引出しのための出金許可を出金処理結果として通知する。通知を受けたＡＴＭ３１は、保持している現金から、出金許可を受けた金額分の現金を顧客に出金する。
【００２６】
一方、不認証であるとき、現金引出し処理部１０２３は、ＡＴＭ３１に本人不認証を通知する。これによりＡＴＭ３１は、顧客からの出金依頼を拒絶する旨を顧客に通知する。
【００２７】
自動引落とし処理部１０２４は、計時機能を備えており、引落とし予定日時になると顧客の口座から所定の支払い額を口座残高から出金する自動引落とし処理を行う。
【００２８】
ところで自動引落とし処理部１０２４は、自動引落とし内容を示す自動引落とし情報を予め保持している。自動引落とし情報は、顧客と交わされた条件に基づいて生成された情報であり、該情報には引落とし予定日時、顧客の口座番号、引落とし金額および入金先が示されている。
【００２９】
具体的には、自動引落とし処理部１０２４は、自動引落とし情報に示される予定日時であることを計時機能により確認すると、自動引落とし情報に示される口座番号に基づいて顧客情報保持部１０１１における口座残高を特定し、該特定した口座残高から自動引落とし情報に示された引落とし金額分を減額し更新書き込みを行い、入金先に引落とした金額を通知する。
【００３０】
尚、自動引落とし処理は、引落としに先立ち特定する口座残高と、引落とし金額とが同じである場合、引落とし処理後の口座残高は、「０」となる。従って、このような自動引落とし処理の直後に、出金処理の依頼を受けても、口座残高が「０」であることから対応することができない。
【００３１】
次に、振込処理部１０２５、振替処理部１０２６および定期積立処理部１０２７を詳細に説明する。これらは、前記した現金引出し処理部１０２３および自動引落とし処理部１０２４と異なり、顧客の口座残高が金融サービスを開始するための閾値を超えたか判定する出金処理サーバ２００からの出金処理実行指示に基づいて出金処理を行う。
【００３２】
ところで、出金処理サーバ２００からの出金処理実行指示を受けたホスト装置１００の出金処理部１０２２は、出金処理実行指示内容に基づいて振込処理部１０２５、振替処理部１０２６および定期積立処理部１０２７における選択起動を行って、出金処理実行指示に示された出金処理種別に応じた出金処理を行う。
【００３３】
振込処理部１０２５は、口座番号、振込先口座番号および振込金額が示されている出金処理実行指示に基づいて振込処理を行う。
【００３４】
具体的には、振込処理部１０２５は、出金処理実行指示内容に示されている口座番号に基づいて、顧客情報保持部１０１１における口座残高を特定する。振込処理部１０２５は、該特定した口座残高から出金処理実行指示に示された振込金額を減額し更新書き込みを行い、振込先の口座番号を管理する金融機関に振込先の口座番号および振込金額を通知する。
【００３５】
振替処理部１０２６は、口座番号、振替先口座番号および振替金額が示されている出金処理実行指示に基づいて振替処理を行う。
具体的には、振替処理部１０２６は、出金処理実行指示内容に示されている口座番号に基づいて、顧客情報保持部１０１１における口座残高を特定する。振替処理部１０２６は、特定した口座残高から出金処理実行指示に示された振替金額を減額し更新書き込みを行い、振替先の口座番号を管理する金融機関に振替先の口座番号および振替金額を通知する。
【００３６】
定期積立処理部１０２７は、口座番号、定期積立口座番号および積立金額が示されている出金処理実行指示に基づいて振替処理を行う。
具体的には、定期積立処理部１０２７は、出金処理実行指示内容に示されている口座番号に基づいて顧客情報保持部１０１１における口座残高を特定し、該特定した口座残高から出金処理実行指示内容に示されている積立金額を減額し更新書き込みを行う。次いで、出金処理実行指示内容に示されている定期積立口座番号に基づいて顧客情報保持部１０１１における口座残高を特定し、該特定した口座残高へ出金処理実行指示内容に示されている積立金額を加算し更新書き込みを行う。
【００３７】
前記したように、振込処理部１０２５、振替処理部１０２６および定期積立処理部１０２７は、顧客の口座残高が金融サービスを開始するための閾値を超えたかを判定する出金処理サーバ２００からの出金処理実行指示に基づいて起動動作する。従って、出金処理実行指示を行う出金処理サーバ２００における閾値（閾値金額）を、維持したい残高に出金額を加算した金額を設定にすることにより、出金処理の直後でも、維持したい金額分が残高確保されることから、出金処理の直後に他の出金処理の依頼があっても対応することができる。
【００３８】
次に、金融サービスを開始するための金融サービス開始閾値による判定を行う出金処理サーバ２００を詳細に説明する。
【００３９】
出金処理サーバ２００は、顧客と交わされた条件を示す条件情報を保持する条件情報保持部２０１と、該条件情報保持部２０１に保持させる金融サービス内容および金融サービス開始閾値を条件情報として登録する条件設定部２０２と、ホスト装置１００から口座残高の更新書き込みを示す口座情報を取得する口座情報取得部２０３と、該口座情報取得部２０３からの取得通知を受けると、条件情報保持部２０１で保持する条件情報に基づいて出金処理を開始するか否かを判定する出金処理開始判定部２０４と、出金処理開始判定部２０４の判定結果に基づいて出金処理を開始すべくホスト装置１００に対し出金処理実行指示を行う出金処理実行指示部２０５とを備える。
【００４０】
条件情報保持部２０１は、口座番号、口座名義人、出金処理種別、出金額、出金先口座番号および出金先名を示している金融サービス内容と、金融サービス開始閾値とを条件情報としてテーブル形式で保持する。ところで条件情報は、口座番号に基づいて検索可能に保持されている。
【００４１】
条件設定部２０２は、顧客と交わされた条件として、金融サービス内容と、金融サービス開始閾値とから成る条件情報を金融機関の係員からの入力を受けて、条件情報保持部２０１に登録する。
条件設定部２０２は、例えば出金処理種別として振込処理を登録するとき、金融機関の係員が顧客と交わした条件内容として口座番号、口座名義人、振込み（出金処理種別）、振込金額、振込先口座番号および振込先名から成る金融サービス内容と、金融サービス開始閾値とから成る条件情報を登録する。
尚、前記条件は、例えばＷｅｂを経由して、顧客が自由に設定できるようにしてもよい。
【００４２】
口座情報取得部２０３は、口座残高の変化を検出したホスト装置１００の残高変化検出通知部１０１２から通知される口座情報を取得し、取得した口座情報を出金処理開始判定部２０４に通知する。
ところで、口座情報は、口座番号及び残高を示している。
【００４３】
出金処理開始判定部２０４は、通知される口座情報に示されている口座番号に基づいて条件情報保持部２０１を検索し、該条件情報保持部２０１から対応する条件情報を取得すると、条件情報に示された出金処理種別に基づいて金融サービス開始の判定処理を行う。
尚、出金処理種別に基づく判定処理は、出金処理開始判定部２０４に備えた振込処理開始判定部２０４１、振替処理開始判定部２０４２および定期積立処理開始判定部２０４３によって行なわれる。
【００４４】
ところで、１つの口座番号に対し、複数の出金処理種別が条件情報保持部２０１に登録されている場合、予め設定されている優先順位に基づいて各出金処理種別に応じた判定処理が順次行なわれる。尚、本実施例では「定期積立」を最優先に、次に「振替」を優先し、その次に「振込み」の順に判定処理が行なわれる例で説明する。
【００４５】
振込処理開始判定部２０４１は、条件情報に示された金融サービス開始閾値と口座情報に示された残高とを比較し、残高が金融サービス開始閾値を超えているとき、出金処理種別としての「振込み」、口座番号、振込先および振込金額を出金処理実行指示部２０５に通知する。尚、出金処理実行指示部２０５は、通知を受けた内容を出金処理実行指示としてホスト装置１００に通知する。
【００４６】
振替処理開始判定部２０４２は、条件情報に示された金融サービス開始閾値と口座情報に示される残高とを比較し、該残高が金融サービス開始閾値を超えているとき、出金処理種別としての「振替」、口座番号、振替先および振替金額を出金処理実行指示部２０５に通知する。尚、出金処理実行指示部２０５は、通知を受けた内容を出金処理実行指示としてホスト装置１００に通知する。
【００４７】
定期積立処理開始判定部２０４３は、条件情報に示された金融サービス開始閾値と口座情報に示される残高とを比較し、該残高が金融サービス開始閾値を超えているとき、出金処理種別としての「定期積立処理」、口座番号、定期積立口座番号および積立金額を出金処理実行指示部２０５に通知する。尚、出金処理実行指示部２０５は、通知を受けた内容を出金処理実行指示としてホスト装置１００に通知する。
【００４８】
次に、本発明の金融サービスシステム１の動作を図４のフローチャートに沿って説明する。
尚、本実施例では、図３に示す条件情報が条件情報保持部２０１に予め登録されていることを前提に説明を行う。
【００４９】
ホスト装置１００の残高変化検出通知部１０１２が顧客情報保持部１０１１への口座残高の更新書き込みを検出すると（ステップＳ４０１）、顧客の口座残高が変化したと判断して、残高変化検出通知部１０１２は口座番号および残高が示された口座情報を出金処理サーバ２００の口座情報取得部２０３に通知する（ステップＳ４０２）。口座情報取得部２０３で口座情報を取得すると、出金処理開始判定部２０４は、口座情報に示されている口座番号に基づいて条件情報保持部２０１を検索し、対応する条件情報を取得する（ステップＳ４０３）。
【００５０】
出金処理開始判定部２０４は、条件情報に示された出金処理種別に応じて、種別毎に設定されている金融サービス開始閾値と口座情報に示された残高とに基づいて金融サービス開始の判定処理を行う（ステップＳ４０４）。つまり、出金処理開始判定部２０４は、判定処理として残高が金融サービス開始閾値を超えているか否かを判定し、超えているとき当該種別の出金処理の開始を出金処理実行指示部２０５に通知する。
【００５１】
ところで、判定処理は前記したように出金処理種別に応じて行なわれており、具体的には振込処理の開始判定が振込処理開始判定部２０４１で行なわれ、振替処理の開始判定が振替処理開始判定部２０４２で行なわれ、定期積立処理の開始判定が定期積立処理開始判定部２０４３で行なわれる。
【００５２】
例えば、振込処理開始判定部２０４１は、条件情報に示された金融サービス開始閾値と口座情報に示された残高とを比較し、残高が金融サービス開始閾値を超えているとき、出金処理種別としての「振込み」、口座番号、振込先および振込金額を出金処理実行指示部２０５に通知する。
【００５３】
前記した判定処理により通知を受けた出金処理実行指示部２０５は、通知内容に基づいて出金処理種別に応じた出金処理実行指示をホスト装置１００に対し行う（ステップＳ４０５）。
【００５４】
指示を受けたホスト装置１００は、出金処理実行指示の内容に基づいて出金処理部１０２２で出金処理種別に応じた出金処理を行う（ステップＳ４０６）。
ところで、出金処理種別に応じた出金処理は、出金処理種別が「振込み」のとき振込処理部１０２５で行なわれ、出金処理種別が「振替」のとき振替処理部１０２６で行なわれ、出金処理種別が「定期積立」のとき定期積立処理部１０２７で行なわれる。
【００５５】
具体的には、振込処理部１０２５は、出金処理実行指示内容に示されている口座番号に基づいて、顧客情報保持部１０１１における口座残高を特定し、該口座残高から出金処理実行指示に示された振込金額を減額し更新書き込みを行い、振込先の口座番号を管理する金融機関に振込先の口座番号および振込金額を通知する。
【００５６】
ところで、前記したステップＳ４０４における判定処理で、残高が金融サービス開始閾値を超えてないとき、前記した出金処理を行うことなく、前記したステップＳ４０１からの更新書き込み検出処理を行う。
【００５７】
前記したように、本実施例の金融サービスシステム１によれば、ホスト装置１００が顧客の口座残高の変化を検出すると、当該口座の口座情報を出金処理サーバ２００に通知し、通知を受けた出金処理サーバ２００は、口座情報に基づいて顧客と交わした条件内容を示す条件情報を読み出し、残高と条件情報に示される金融サービス開始閾値とを比較する。これにより残高が金融サービス開始閾値を超えているとき、金融サービスとして顧客の口座から出金する処理、例えば出金処理種別が「振込み」の出金処理実行指示をホスト装置１００に対し行い、ホスト装置１００は出金処理実行指示の内容に示された出金処理種別に基づいて振込み処理を実行する。
【００５８】
従って、本実施例の金融サービスシステム１によれば、顧客と交わした条件が示された条件情報に基づいて顧客の口座残高が金融サービス開始閾値を超えて変化したことを自動的に検出すると、出金処理種別に応じた出金処理を行うことから、顧客が出金処理の利用に先立って口座残高の確認を行う必要がなく、出金処理における顧客の利便性の向上を図ることができる。
【００５９】
更に、金融サービス開始閾値として、顧客が維持したい残高に出金額を加算した金額を設定することにより、前記出金額の出金処理が実行された後でも、顧客が維持したい金額分が口座残高に確保されることから、出金処理の直後に他の出金処理の依頼があっても、確保されている残高により出金処理の対応を行うことができ、出金処理における顧客の利便性の向上を図ることができる。
【産業上の利用可能性】
【００６０】
上述した実施例では、金融サービス開始の判定処理が、顧客の口座残高の変化を検出することで行なわれる例で説明したが、これに限る必要は無く、例えば、所定の時間毎に残高を取得し、残高が金融サービス開始閾値を超えたとき、金融サービス開始の判定処理が行われるようにしてもよい。
【００６１】
また、前記した実施例では顧客の口座残高が金融サービス開始閾値を超えて変化したとき、出金処理を行う例で説明を行なったが、条件情報に出金処理の実行予定日を付加し、実行予定日であることを計時機能で確認した後、口座残高が金融サービス開始閾値を超えて変化したとき、出金処理を行うようにしても良い。
【００６２】
本実施例では、金融サービスシステム１としてホスト装置１００および出金処理サーバ２００を備える例で説明を行ったが、これに限る必要はなく、出金処理サーバ２００の機能およびホスト装置１００の機能を一つの装置に統合するようにシステム構成を適宜変更してもよい。
【図面の簡単な説明】
【００６３】
【図１】本発明の金融サービスシステムの構成図である。
【図２】本発明の金融サービスシステムのホスト装置および出金処理サーバの構成図である。
【図３】条件情報を示す図である。
【図４】本発明の金融サービスシステムのフローチャートである。
【符号の説明】
【００６４】
１          金融サービスシステム
１０        ホスト
１９        ＬＡＮ
２０        ネットワーク
３０        営業店
３１        ＡＴＭ
１００      ホスト装置
１０１      情報管理部
１０１１    顧客情報保持部
１０１２    残高変化検出通知部
１０２      金融サービス提供部
１０２１    入金処理部
１０２２    出金処理部
１０２３    現金引出し処理部
１０２４    自動引落とし処理部
１０２５    振込処理部
１０２６    振替処理部
１０２７    定期積立処理部
２００      出金処理サーバ
２０１      条件情報保持部
２０２      条件設定部
２０３      口座情報取得部
２０４      出金処理開始判定部
２０４１    振込処理開始判定部
２０４２    振替処理開始判定部
２０４３    定期積立処理開始判定部
２０５      出金処理実行指示部
【図１】
2007034541.tif 000003
【図２】
2007034541.tif 000004
【図３】
2007034541.tif 000005
【図４】
2007034541.tif 000006